(57)【特許請求の範囲】
【請求項１】
合成樹脂製で、中央に飾り孔を形成した本体と、本体の一方の端部に設けられたピン元の支持部と、本体の他方の端部に設けられたピン先の係止部とを備え、
上記本体を飾り孔側の内側部分とその外側の外側部分とに分割し、上記内側部分と上記ピン元の支持部及び上記外側部分と上記ピン先の係止部を、それぞれ異なる色によって一体に形成するとともに、
上記本体の外側部分の内側に上記内側部分を溶着した
ことを特徴とする二色安全ピン。
【請求項２】
ある色の合成樹脂原料で本体の内側部分を一次成形し、この一次成形品の外側に他の色の合成樹脂原料で外側部分を二次成形して、二色安全ピンを造る二色安全ピンの製造方法であって、
一次成形は、本体の内側部分にピン元の支持部を付帯させた成形空間を有する一次型へある色の合成樹脂を注入して行い、
二次成形は、一次成形品をピン元の支持部にピンを支持させて納めると、その外側に本体の外側部分にピン先の係止部を付帯させた成形空間が形成される二次型へ他の色の合成樹脂を注入して行うことを特徴とする二色安全ピンの製造方法。
【発明の詳細な説明】
【技術分野】
【０００１】
本発明は、本体の内側部分と外側部分とが異なる２色で構成した二色安全ピン及びその製造方法に関する。
【背景技術】
【０００２】
従来、合成樹脂製の安全ピンは、ピン受部を一次型で成形して、成形したピン受部にピンを支持させて二次型へセットし本体を二次成形するようにすることは知られている。(例えば特許文献１参照)
【０００３】
しかしながら、上記安全ピンは本体が単色であるため装飾的価値に乏しく、かつ、ピン元の支持部とピン先の係止部が同色であるため、着脱の際ピン元とピン先の確認を要する問題点がある。
【特許文献１】特公昭５８−３７８９２号公報（第１、第２頁と第４図、第５図）
【発明の開示】
【発明が解決しようとする課題】
【０００４】
本発明は前記問題点を解消し、本体が異なる二色で形成されるために装飾的価値が高くて、ピン元とピン先を色で判別できる二色安全ピンとその製造方法とを提供すること課題とする。
【課題を解決するための手段】
【０００５】
前記課題を解決するため本発明に係る二色安全ピン及びその製造方法は、下記の構成を採用することを特徴とする。
【０００６】
請求項１に係る発明は、合成樹脂製で、中央に飾り孔を形成した本体と、本体の一方の端部に設けられたピン元の支持部と、本体の他方の端部に設けられたピン先の係止部とを備え、上記本体を飾り孔側の内側部分とその外側の外側部分とに分割し、上記内側部分と上記ピン元の支持部及び上記外側部分と上記ピン先の係止部を、それぞれ異なる色によって一体に形成するとともに、上記本体の外側部分の内側に上記内側部分を溶着したことを特徴とする。
【０００７】
請求項２に係る発明は、ある色の合成樹脂原料で本体の内側部分を一次成形し、この一次成形品の外側に他の色の合成樹脂原料で外側部分を二次成形して、二色安全ピンを造る二色安全ピンの製造方法であって、一次成形は、本体の内側部分にピン元の支持部を付帯させた成形空間を有する一次型へある色の合成樹脂を注入して行い、二次成形は、一次成形品をピン元の支持部にピンを支持させて納めると、その外側に本体の外側部分にピン先の係止部を付帯させた成形空間が形成される二次型へ他の色の合成樹脂を注入して行うことを特徴とする。
【発明の効果】
【０００８】
請求項１に係る発明の効果  本体の内側部分と外側部分とが異なる２色で構成されるため、装飾的価値が高まって衣服等に着装するとこれを引き立たせるセアクセサリーの機能を果たし、また、本体の裏側にはピン元の支持部とピン先の係止部が異なる色で形成されているので、ピン元とピン先を色により判別して安全ピンの着脱を容易にすることができる。
【０００９】
請求項２に係る発明の効果  本体の内側部分とピン元の支持部とを一次型を用いてある色の合成樹脂で成形し、この一次成形品を支持部にピン元を支持させて二次型に収め、他の色で外側部分とピン先の支持部を形成させるので、本体の内側部分と外側部分との色が相違して意匠的価値を高めるとともに、ピン元の支持部とピン先の係止部とを色によって判別することができる二色安全ピンを容易に製造することができる。
【発明を実施するための最良の形態】
【００１０】
以下に本発明に係る二色安全ピンの実施形態を図面について説明する。
【００１１】
図１〜図４は二色安全ピンの実施形態を示すものであって、この二色安全ピンは各図に符号Ａで示され、図１、図２に示す通り本体１の内側部分１ａと、外側部分１ｂとが異なる色を呈するものであり、この二色安全ピンＡの内側部分１ａは、ある色の合成樹脂でピン２の元の部分、即ち、ピン元２ａの支持部３が付帯されるように成形され、外側部分１ｂは他の色の合成樹脂でピン先２ｂの係止部４が付帯されるように成形されている。
【００１２】
上記安全ピンＡにおける本体１の内側部分１ａは、その中央部に図２、図４に示す通りしずく形等をなす飾り孔５を設けられ、一端にはピン元２ａの支持部３が付帯するように形成される。そして上記支持部３は、裏側へ開放する箱形にして内側の壁に後記するピン元２ａの埋込端２ｃを外へ出す孔６を設けてある。
【００１３】
本体１の外側部分１ｂは、上記内側部分１ａを取り囲むものであって、内側部分１ａとは反対側の端部にピン先２ｂの係止部４が付帯するように形成される。そして、上記係止部４は、一側にピン先２ｂを通す切割７を設け、この切割７の隣に切割７を通ったピン先２ｂを掛け止める鉤部８を形成してある。
【００１４】
上記内側部分１ａと外側部分１ｂとを構成する材料の合成樹脂としては、一次成形した内側部分１ａに、二次成形する外側部分１ｂが溶着して安定した二色の本体１を構成する
ように同種または同系の合成樹脂を用いるもであって、合成樹脂の種類としてはポリカーボネイトとアクリルの混合樹脂、ＡＢＳ樹脂等が適当であり、内側部分１ａ用の合成樹脂と外側部分１ｂ用の合成樹脂とは色の異なったものを用いて、色の組み合わせを代えることで広い年齢層の人の好みに応じた豊富な種類の安全ピンＡが得られるようにする。
【００１５】
上記ピン２は、錆を生じないステンレススチールを用いて、図１、図４に示す通りピン元２ａにコイル９を有し、ピン先２ｂは布等を容易に貫通するように尖った形状に形成するものであって、ピン元２ａは箱形の支持部３に収め、埋込端２ｃを支持部３に設けた孔６より外へ出して、内側部分１ａを後記する二次型へ収めて本体１の外側部分１ｂを二次成形するとき、この埋設端２ｃの固定片１０が外側部分１ｂと一体成形されるようにする。
【００１６】
上記構成の二色安全ピンＡは、一端にピン元２ａの支持部３を付設した本体１の内側部分１ａをある色の合成樹脂で一次成形し、この一次成形された内側部分１ａに付設されるピン元２ａの支持部３にピン元２ａを納めて、内側部分１を二次型に収めて異なる色の合成樹脂で本体１の外側部分１ｂとピン先２ｂの係止部４を形成すれば、内側部分１ａと外側部分１ｂとが異なる色を呈して、ピン元２ａの係止部３とピン先２ｂの係止部４とを色で判別できる二色安全ピンが得られる。
【００１７】
図５、図６は二色安全ピンの製造方法の実施形態を示すものであって、ある色の合成樹脂原料で本体１の内側部分１ａを一次成形し、この一次成形品の外側に他の色の合成樹脂原料で外側部分２ｂを二次成形して、二色安全ピンＡを造る二色安全ピンの製造方法であって、一次成形は、本体１の内側部分１ａにピン元２ａの支持部３を付帯させた形状の成形空間１１、１２を有する一次型１３へある色の合成樹脂を注入して行い、二次成形は、一次成形品をピン元２ａの支持部３にピン２を支持させて納めると、その外側に本体１の外側部分１ｂにピン先２ｂの係止部４とピン２の埋設部２ｃの固定片１０とを付帯させた形状の成形空間１４，１５、１６が形成される二次型１７へ他の色の合成樹脂を注入して行うようにしたものである。
【００１８】
上記一次型１３は、図５に示す通り下型１３ａと上型１３ｂとに分割形成されていて、下型１３ａ側には二色安全ピンＡの本体１における内側部分１ａに形状を合わせた成形空間１１が形成され、上型１３ｂ側には箱形をなすピン元２ａの支持部３に形状を合わせた成形空間１２が上記成形空間１１の一端部と連通するように形成されている。
【００１９】
上記二次型１７は、図６に示す通り下型１７ａと上型１７ｂとに分割形成されていて、下型１７ａ側には、一次成形した内側部分１ａの飾り孔６に係合して内側部分１ａを支持する支持部１８が設けられ、支持部１８に支持される内側部分１ａの外側には、本体１の外側部分１ｂに形状を合わせた成形空間１９が形成され、上型１７ｂ側には内側部分に付帯するピン元２ａの支持部３を容入する空間１９と、支持部３から斜め上方へ張り出すピン２を通すピン通し孔２０とを形成され、上記空間１９とは反対側には切割７と鉤部８を有するピン先２ｂの係止部４に形状を合わせた成形空間１５及びピン２の埋込部２ｃを固定するための固定片１２に形状を合わせた成形空間１６が形成されている。
【００２０】
上記一次型１３と二次型１７とで二色安全ピンＡを製造するには、先ず一次型１３の成形空間１１、１２へ例えば青色の合成樹脂を注入して本体１の内側部分１ａとピン元２ａの支持部３を成形する。そして、一次成形された内側部分１ａを一次型１３から外して、ピン元２ａの支持部３にコイル８のピン元２ａを収め、埋込端２ｃを孔６から外へ出して
、図６に示す通り二次型１７の下型１７ａへ収めて支持部１８に支持させると、内側部分１ａの外側には本体１の外側部分１を成形する成形空間１４が形成される。そこで、二次型の上型１７ｂを空間１９へピン先２ｂの支持部３が収まり、通し孔２０へピン２が収まるように下型１７ａに合わせて、成形空間１４、１５、１６へ例えば白色の合成樹脂を注入すれば、青色の内側部分１ａの外側に白色の外側部分１ｂが成形されるとともに、ピン先２ａの係止部４とピン元２ａの埋設端２ｃの固定片１０が成形されて、青と白の二色で構成される本体１の裏側に青のピン元２ａの支持部３と白のピン先２ｂの係止部４とが存在するため、装飾的価値が高くて使用し易い二色安全ピンＡを容易に多量生産することができる。
【産業上の利用可能性】
【００２１】
安全ピンの商品価値と使い易さを著しく向上させることができる。
【図面の簡単な説明】
【００２２】
【図１】本発明に係る二色安全ピンの正面図。
【図２】同上の背面図。
【図３】同上の右側面図。
【図４】同上の内側部分を示す斜視図。
【図５】製造に用いる一次型の断面図。
【図６】製造に用いた二次型の断面図。
【符号の説明】
【００２３】
Ａ  二色安全ピン
１  本体
２  ピン
２ａ  ピン元
２ｂ  ピン先
３  ピン元の支持部
４  ピン先の係止部
【図１】
0004831665.tif 000002
【図２】
0004831665.tif 000003
【図３】
0004831665.tif 000004
【図４】
0004831665.tif 000005
【図５】
0004831665.tif 000006
【図６】
0004831665.tif 000007